(57)【特許請求の範囲】
【請求項１】
無線通信システムにおけるＵＥ（ｕｓｅｒ  ｅｑｕｉｐｍｅｎｔ）であって、前記ＵＥは、
無線信号を送信または受信するＲＦ（ｒａｄｉｏ  ｆｒｅｑｕｅｎｃｙ）部と、
前記ＲＦ部と接続されるプロセッサと
を備え、
前記プロセッサは、
基地局から、干渉測定のための零電力ＣＳＩ  ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ）に関する情報を、ＣＳＩ  ＲＳ構成に含まれる零電力ＣＳＩ  ＲＳ構成に加えて受信することであって、前記情報は、干渉測定のための零電力ＣＳＩ  ＲＳサブフレーム構成および干渉測定のための零電力ＣＳＩ  ＲＳ資源構成を含む、ことと、
前記零電力ＣＳＩ  ＲＳを使用して干渉を測定するか否かを指示するＣＳＩ  ＲＳ指示子を受信することと、
前記干渉測定のための零電力ＣＳＩ  ＲＳに関する前記受信された情報によって構成された零電力ＣＳＩ  ＲＳに基づいて干渉を測定することと
を実行するように構成されている、ＵＥ。
【請求項２】
前記零電力ＣＳＩ  ＲＳに関する情報は、上位階層を介して受信される、請求項１に記載のＵＥ。
【請求項３】
前記零電力ＣＳＩ  ＲＳ資源構成は、干渉測定のために使用される前記零電力ＣＳＩ  ＲＳの構成インデックスを指示する、請求項１に記載のＵＥ。
【請求項４】
前記零電力ＣＳＩ  ＲＳの構成インデックスは、前記零電力ＣＳＩ  ＲＳに割り当てられる資源要素を指示する、請求項３に記載のＵＥ。
【請求項５】
無線通信システムにおけるＵＥ（ｕｓｅｒ  ｅｑｕｉｐｍｅｎｔ）による干渉を測定する方法であって、前記方法は、
前記ＵＥにより、基地局から、干渉測定のための零電力ＣＳＩ  ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ）に関する情報を、ＣＳＩ  ＲＳ構成に含まれる零電力ＣＳＩ  ＲＳ構成に加えて受信することであって、前記情報は、干渉測定のための零電力ＣＳＩ  ＲＳサブフレーム構成および干渉測定のための零電力ＣＳＩ  ＲＳ資源構成を含む、ことと、
前記ＵＥにより、前記零電力ＣＳＩ  ＲＳを使用して干渉を測定するか否かを指示するＣＳＩ  ＲＳ指示子を受信することと、
前記ＵＥにより、前記干渉測定のための零電力ＣＳＩ  ＲＳに関する前記受信された情報によって構成された零電力ＣＳＩ  ＲＳに基づいて干渉を測定することと
を含む、方法。
【請求項６】
前記ＣＳＩ  ＲＳ指示子は、ＲＲＣシグナリングを介して受信される、請求項５に記載の方法。
【請求項７】
前記ＣＳＩ  ＲＳ指示子は、所定のパターンに対する複数のビットとして構成される、請求項５に記載の方法。
【発明の詳細な説明】
【技術分野】
【０００１】
本発明は、無線通信に関し、さらに詳細には、無線通信システムにおける干渉を測定する方法及び装置に関する。
【背景技術】
【０００２】
最近、盛んに研究されている次世代マルチメディア無線通信システムは、初期の音声中心のサービスから脱皮して、映像、無線データなどの多様な情報を処理して送信できるシステムが求められている。現在、３世帯無線通信システムに続いて開発されている４世帯無線通信は、ダウンリンク１Ｇｂｐｓ（ｇｉｇａｂｉｔｓ  ｐｅｒ  ｓｅｃｏｎｄ）及びアップリンク５００Ｍｂｐｓ（ｍｅｇａｂｉｔｓ  ｐｅｒ  ｓｅｃｏｎｄ）の高速のデータサービスを支援することを目標とする。無線通信システムの目的は、多数のユーザが位置と移動性に関係なく信頼できる（ｒｅｌｉａｂｌｅ）通信をすることができるようにすることである。ところが、無線チャネル（ｗｉｒｅｌｅｓｓ  ｃｈａｎｎｅｌ）は、経路損失（ｐａｔｈ  ｌｏｓｓ）、雑音（ｎｏｉｓｅ）、多重経路（ｍｕｌｔｉｐａｔｈ）によるフェージング（ｆａｄｉｎｇ）現象、シンボル間干渉（ＩＳＩ；ｉｎｔｅｒ−ｓｙｍｂｏｌ  ｉｎｔｅｒｆｅｒｅｎｃｅ）または端末の移動性によるドップラー効果（Ｄｏｐｐｌｅｒ  ｅｆｆｅｃｔ）などの非理想的な特性がある。無線チャネルの非理想的特性を克服し、無線通信の信頼度（ｒｅｌｉａｂｉｌｉｔｙ）を高めるために、多様な技術が開発されている。
【０００３】
一方、Ｍ２Ｍ（ｍａｃｈｉｎｅ−ｔｏ−ｍａｃｈｉｎｅ）通信の導入、スマートフォン、タブレットＰＣなどの多様なデバイスの出現及び普及によって、セルラ（ｃｅｌｌｕａｒ）網に対するデータ要求量が早く増加している。高いデータ要求量を満足させるために、多様な技術が開発されつつある。さらに多くの周波数帯域を効率的に使用するための搬送波集合（ＣＡ；ｃａｒｒｉｅｒ  ａｇｇｒｅｇａｔｉｏｎ）技術、認知無線（ＣＲ；ｃｏｇｎｉｔｉｖｅ  ｒａｄｉｏ）技術などが研究されつつある。また、限定された周波数帯域内でデータの容量を高めるための多重アンテナ技術、多重基地局協力技術などが研究されている。すなわち、結局、無線通信システムは、ユーザ周辺に接続できるノード（ｎｏｄｅ）の密度が高まる方向に進化するはずである。ノードの密度の高い無線通信システムは、ノード間の協力によって性能がさらに向上することができる。すなわち、各ノードが互いに協力する無線通信システムは、各ノードが独立的な基地局（ＢＳ；ｂａｓｅ  ｓｔａｔｉｏｎ）、ＡＢＳ（ａｄｖａｎｃｅｄ  ＢＳ）、Ｎｏｄｅ−Ｂ（ＮＢ）、ｅＮｏｄｅ−Ｂ（ｅＮＢ）、ＡＰ（ａｃｃｅｓｓ  ｐｏｉｎｔ）等で動作する無線通信システムよりはるかに優れた性能を有する。
【０００４】
無線通信システムの性能を改善するために、セル内の複数のノードを備えた分散多重ノードシステム（ＤＭＮＳ；ｄｉｓｔｒｉｂｕｔｅｄ  ｍｕｌｔｉ  ｎｏｄｅ  ｓｙｓｔｅｍ）が採用されることができる。多重ノードシステムは、分散アンテナシステム（ＤＡＳ；ｄｉｓｔｒｉｂｕｔｅｄ  ａｎｔｅｎｎａ  ｓｙｓｔｅｍ）、無線遠隔装備（ＲＲＨ；ｒａｄｉｏ  ｒｅｍｏｔｅ  ｈｅａｄ）などを備えることができる。また、既に開発されたか、または今後に採用可能な多様なＭＩＭＯ（ｍｕｌｔｉｐｌｅ−ｉｎｐｕｔ  ｍｕｌｔｉｐｌｅ−ｏｕｔｐｕｔ）技法と協力通信技法を分散多重ノードシステムに採用するための標準化作業が進行中である。
【０００５】
分散多重ノードシステムにおいて端末が干渉を効率的に測定するための方法が求められる。
【発明の概要】
【発明が解決しようとする課題】
【０００６】
本発明の技術的課題は、無線通信システムにおける干渉を測定する方法及び装置を提供することにある。本発明は、分散多重ノードシステムにおいて零電力（ｚｅｒｏ−ｐｏｗｅｒ）チャネル状態情報参照信号（ＣＳＩ−ＲＳ；ｃｈａｎｎｅｌ  ｓｔａｔｅ  ｉｎｆｏｒｍａｔｉｏｎ  ｒｅｆｅｒｅｎｃｅ  ｓｉｇｎａｌ）に基づいて干渉を測定する方法を提供する。
【課題を解決するための手段】
【０００７】
一態様において、無線通信システムにおける端末（ＵＥ；ｕｓｅｒ  ｅｑｕｉｐｍｅｎｔ）による干渉を測定する方法が提供される。前記方法は、零電力（ｚｅｒｏ−ｐｏｗｅｒ）チャネル状態情報（ＣＳＩ；ｃｈａｎｎｅｌ  ｓｔａｔｅ  ｉｎｆｏｒｍａｔｉｏｎ）参照信号（ＲＳ；ｒｅｆｅｒｅｎｃｅ  ｓｉｇｎａｌ）を利用して干渉を測定するかどうかを指示する零電力ＣＳＩ  ＲＳ指示子を基地局から受信し、前記零電力ＣＳＩ  ＲＳ指示子に応じて零電力ＣＳＩ  ＲＳに基づいて干渉を測定することを含む。
【０００８】
他の様態において、無線通信システムにおける干渉を測定する端末（ＵＥ；ｕｓｅｒ  ｅｑｕｉｐｍｅｎｔ）が提供されうｒ。この端末は、無線信号を送信または受信するＲＦ（ｒａｄｉｏ  ｆｒｅｑｕｅｎｃｙ）部と、前記ＲＦ部と接続するプロセッサとを備えるものの、前記プロセッサは、零電力（ｚｅｒｏ−ｐｏｗｅｒ）チャネル状態情報（ＣＳＩ；ｃｈａｎｎｅｌ  ｓｔａｔｅ  ｉｎｆｏｒｍａｔｉｏｎ）参照信号（ＲＳ；ｒｅｆｅｒｅｎｃｅ  ｓｉｇｎａｌ）を利用して干渉を測定するかどうかを指示する零電力ＣＳＩ  ＲＳ指示子を基地局から受信し、前記零電力ＣＳＩ  ＲＳ指示子に応じて零電力ＣＳＩ  ＲＳに基づいて干渉を測定するように構成される。
例えば、本願発明は以下の項目を提供する。
（項目１）
無線通信システムにおける端末（ＵＥ；ｕｓｅｒ  ｅｑｕｉｐｍｅｎｔ）による干渉を測定する方法であって、
零電力（ｚｅｒｏ−ｐｏｗｅｒ）チャネル状態情報（ＣＳＩ；ｃｈａｎｎｅｌ  ｓｔａｔｅ  ｉｎｆｏｒｍａｔｉｏｎ）参照信号（ＲＳ；ｒｅｆｅｒｅｎｃｅ  ｓｉｇｎａｌ）を利用して干渉を測定するかどうかを指示する零電力ＣＳＩ  ＲＳ指示子を基地局から受信し、
前記零電力ＣＳＩ  ＲＳ指示子に応じて零電力ＣＳＩ  ＲＳに基づいて干渉を測定することを含む方法。
（項目２）
前記零電力ＣＳＩ  ＲＳ指示子は、ＣＳＩ  ＲＳの構成（ｃｏｎｆｉｇｕｒａｔｉｏｎ）を指示するＣＳＩ  ＲＳ指示子に含まれて受信されることを特徴とする項目１に記載の方法。
（項目３）
前記零電力ＣＳＩ  ＲＳ指示子は、干渉測定のために使用される前記零電力ＣＳＩ  ＲＳの構成インデックス（ｃｏｎｆｉｇｕｒａｔｉｏｎ  ｉｎｄｅｘ）を指示することを特徴とする項目２に記載の方法。
（項目４）
前記零電力ＣＳＩ  ＲＳの構成インデックスは、対応する零電力ＣＳＩ  ＲＳに割り当てられる資源要素を指示することを特徴とする項目３に記載の方法。
（項目５）
前記零電力ＣＳＩ  ＲＳ指示子は、１６ビットを含むビットマップ（ｂｉｔｍａｐ）であることを特徴とする項目３に記載の方法。
（項目６）
前記零電力ＣＳＩ  ＲＳ指示子は、干渉測定のために使用される前記零電力ＣＳＩ  ＲＳが転送されるサブフレームの構成を指示することを特徴とする項目２に記載の方法。
（項目７）
前記ＣＳＩ  ＲＳ指示子は、上位階層（ｈｉｇｈｅｒ  ｌａｙｅｒ）を介して転送されるＣＳＩ−ＲＳ−Ｃｏｎｆｉｇ  ＩＥ（ｉｎｆｏｒｍａｔｉｏｎ  ｅｌｅｍｅｎｔ）であることを特徴とする項目２に記載の方法。
（項目８）
前記零電力ＣＳＩ  ＲＳ指示子は、１ビットまたは複数のビットを含むビットマップ（ｂｉｔｍａｐ）から構成されることを特徴とする項目１に記載の方法。
（項目９）
前記零電力ＣＳＩ  ＲＳ指示子は、ＣＳＩフィードバック（ｆｅｅｄｂａｃｋ）を指示する命令内に含まれて受信されることを特徴とする項目１に記載の方法。
（項目１０）
前記ＣＳＩフィードバックを指示する命令は、ＰＤＣＣＨ（ｐｈｙｓｉｃａｌ  ｄｏｗｎｌｉｎｋ  ｃｏｎｔｒｏｌ  ｃｈａｎｎｅｌ）またはＲＲＣ（ｒａｄｉｏ  ｒｅｓｏｕｒｃｅ  ｃｏｎｔｒｏｌ）シグナルリングを介して転送されることを特徴とする項目９に記載の方法。
（項目１１）
前記ＣＳＩフィードバックを指示する命令は、ＣＳＩを測定する領域及び方法を指示することを特徴とする項目９に記載の方法。
（項目１２）
前記測定された干渉に基づいてＣＳＩを計算することをさらに含む項目１に記載の方法。
（項目１３）
無線通信システムにおける干渉を測定する端末（ＵＥ；ｕｓｅｒ  ｅｑｕｉｐｍｅｎｔ）であって、
無線信号を送信または受信するＲＦ（ｒａｄｉｏ  ｆｒｅｑｕｅｎｃｙ）部と、
前記ＲＦ部と接続するプロセッサとを備えるものの、
前記プロセッサは、
零電力（ｚｅｒｏ−ｐｏｗｅｒ）チャネル状態情報（ＣＳＩ；ｃｈａｎｎｅｌ  ｓｔａｔｅ  ｉｎｆｏｒｍａｔｉｏｎ）参照信号（ＲＳ；ｒｅｆｅｒｅｎｃｅ  ｓｉｇｎａｌ）を利用して干渉を測定するかどうかを指示する零電力ＣＳＩ  ＲＳ指示子を基地局から受信し、
前記零電力ＣＳＩ  ＲＳ指示子に応じて零電力ＣＳＩ  ＲＳに基づいて干渉を測定するように構成される端末。
（項目１４）
前記零電力ＣＳＩ  ＲＳ指示子は、ＣＳＩ  ＲＳの構成（ｃｏｎｆｉｇｕｒａｔｉｏｎ）を指示するＣＳＩ  ＲＳ指示子に含まれて受信されることを特徴とする項目１３に記載の端末。
（項目１５）
前記零電力ＣＳＩ  ＲＳ指示子は、干渉測定のために使用される前記零電力ＣＳＩ  ＲＳの構成インデックス（ｃｏｎｆｉｇｕｒａｔｉｏｎ  ｉｎｄｅｘ）を指示することを特徴とする項目１４に記載の端末。
【発明の効果】
【０００９】
分散多重ノードシステムにおける干渉を効率的に測定できる。
【図面の簡単な説明】
【００１０】
【図１】図１は、無線通信システムである。
【図２】図２は、３ＧＰＰ  ＬＴＥにおける無線フレーム（ｒａｄｉｏ  ｆｒａｍｅ）の構造を示す。
【図３】図３は、一つのダウンリンクスロットに対する資源グリッド（ｒｅｓｏｕｒｃｅ  ｇｒｉｄ）の一例を示す。
【図４】図４は、ダウンリンクサブフレームの構造を示す。
【図５】図５は、アップリンクサブフレームの構造を示す。
【図６】図６は、多重ノードシステムの一例を示す。
【図７】図７ないし図９は、ＣＲＳがマッピングされるＲＢの一例を示す。
【図８】図７ないし図９は、ＣＲＳがマッピングされるＲＢの一例を示す。
【図９】図７ないし図９は、ＣＲＳがマッピングされるＲＢの一例を示す。
【図１０】図１０は、ＤＭＲＳがマッピングされるＲＢの一例を示す。
【図１１】図１１は、ＣＳＩ  ＲＳがマッピングされるＲＢの一例を示す。
【図１２】図１２は、提案された干渉測定方法の一実施形態を示す。
【図１３】図１３は、本発明の実施形態が具現される無線通信システムのブロック図である。
【発明を実施するための形態】
【００１１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）により具現化されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術により具現化されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により具現化されることができる。ＩＥＥＥ  ８０２．１６ｍは、ＩＥＥＥ  ８０２．１６ｅの進化であって、ＩＥＥＥ  ８０２．１６ｅに基づいたシステムとの下位互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であって、ダウンリンクにおいてＯＦＤＭＡを採用しアップリンクにおいてＳＣ−ＦＤＭＡを採用する。ＬＴＥ−Ａ（ａｄｖａｎｃｅｄ）は、３ＧＰＰ  ＬＴＥの進化である。
【００１２】
説明を明確にするために、ＬＴＥ−Ａを中心に述べるが、本発明の技術的思想がこれに制限されるものではない。
【００１３】
図１は、無線通信システムである。
【００１４】
無線通信システム１０は、少なくとも一つの基地局１１（ｂａｓｅ  ｓｔａｔｉｏｎ、ＢＳ）を備える。各基地局１１は、特定の地理的領域（通常、セルという）１５ａ、１５ｂ、１５ｃに対して通信サービスを提供する。セルは、また多数の領域（セクターという）に分けられることができる。端末１２（ｕｓｅｒ  ｅｑｕｉｐｍｅｎｔ，ＵＥ）は、固定されるか、または移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることができる。基地局１１は、一般に端末１２と通信する固定された地点（ｆｉｘｅｄ  ｓｔａｔｉｏｎ）のことを言い、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることができる。
【００１５】
端末は、通常、一つのセルに属するが、端末の属したセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラシステム（ｃｅｌｌｕｌａｒ  ｓｙｓｔｅｍ）であるから、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００１６】
この技術は、ダウンリンク（ｄｏｗｎｌｉｎｋ）またはアップリンク（ｕｐｌｉｎｋ）に使用されることができる。一般にダウンリンクは、基地局１１から端末１２への通信を意味し、アップリンクは、端末１２から基地局１１への通信を意味する。ダウンリンクにおける送信機は、基地局１１の一部分で、受信機は、端末１２の一部分でありうる。アップリンクにおける送信機は、端末１２の一部分で、受信機は、基地局１１の一部分でありうる。
【００１７】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム及びＳＩＭＯ（ｓｉｎｇｌｅ−ｉｎｐｕｔ  ｍｕｌｔｉｐｌｅ−ｏｕｔｐｕｔ）システムのうちの何れか一つでありうる。ＭＩＭＯシステムは、多数の送信アンテナ（ｔｒａｎｓｍｉｔ  ａｎｔｅｎｎａ）と多数の受信アンテナ（ｒｅｃｅｉｖｅ  ａｎｔｅｎｎａ）とを使用する。ＭＩＳＯシステムは、多数の送信アンテナと一つの受信アンテナとを使用する。ＳＩＳＯシステムは、一つの送信アンテナと一つの受信アンテナとを使用する。ＳＩＭＯシステムは、一つの送信アンテナと多数の受信アンテナとを使用する。以下、送信アンテナは、一つの信号またはストリームを転送するのに使用される物理的または論理的アンテナを意味し、受信アンテナは、一つの信号またはストリームを受信するのに使用される物理的または論理的アンテナを意味する。
【００１８】
図２は、３ＧＰＰ  ＬＴＥにおける無線フレーム（ｒａｄｉｏ  ｆｒａｍｅ）の構造を示す。
【００１９】
これは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ３６．２１１  Ｖ８．２．０（２００８−０３）「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ  （Ｒｅｌｅａｓｅ  ８）」の５節を参照できる。図２に示すように、無線フレームは、１０個のサブフレーム（ｓｕｂｆｒａｍｅ）から構成され、一つのサブフレームは、２個のスロット（ｓｌｏｔ）から構成される。無線フレーム内のスロットは、＃０から＃１９までスロット番号が付けられる。一つのサブフレームが転送されるのにかかる時間をＴＴＩ（ｔｒａｎｓｍｉｓｓｉｏｎ  ｔｉｍｅ  ｉｎｔｅｒｖａｌ）という。ＴＴＩは、データ送信のためのスケジューリング単位といえる。例えば、一つの無線フレームの長さは１０ｍｓで、一つのサブフレームの長さは１ｍｓで、一つのスロットの長さは０．５ｍｓでありうる。
【００２０】
一つのスロットは、時間領域（ｔｉｍｅ  ｄｏｍａｉｎ）において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域において複数の副搬送波を含む。ＯＦＤＭシンボルは、３ＧＰＰ  ＬＴＥがダウンリンクにおいてＯＦＤＭＡを使用するので、一つのシンボル区間（ｓｙｍｂｏｌ  ｐｅｒｉｏｄ）を表現するためのものであって、多重接続方式によって他の名称で呼ばれることができる。例えば、アップリンク多重接続方式としてＳＣ−ＦＤＭＡが使用される場合、ＳＣ−ＦＤＭＡシンボルと呼ぶことができる。資源ブロック（ＲＢ；ｒｅｓｏｕｒｃｅ  ｂｌｏｃｋ）は、資源割り当て単位で一つのスロットにおいて複数の連続する副搬送波を含む。前記無線フレームの構造は、一例に過ぎないものである。したがって、無線フレームに含まれるサブフレームの個数やサブフレームに含まれるスロットの個数、またはスロットに含まれるＯＦＤＭシンボルの個数は、多様に変更できる。
【００２１】
３ＧＰＰ  ＬＴＥは、ノーマル（ｎｏｒｍａｌ）サイクリックプリフィクス（ＣＰ；ｃｙｃｌｉｃ  ｐｒｅｆｉｘ）において一つのスロットは、７個のＯＦＤＭシンボルを含み、拡張（ｅｘｔｅｎｄｅｄ）ＣＰにおいて一つのスロットは、６個のＯＦＤＭシンボルを含むことと定義している。
【００２２】
無線通信システムは、大きくＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。ＦＤＤ方式によれば、アップリンク送信とダウンリンク送信とが互いに異なる周波数帯域を占めながら行われる。ＴＤＤ方式によれば、アップリンク送信とダウンリンク送信とが同じ周波数帯域を占めながら互いに異なる時間において行われる。ＴＤＤ方式のチャネル応答は、実質的に相互的（ｒｅｃｉｐｒｏｃａｌ）である。これは、与えられた周波数領域においてダウンリンクチャネル応答とアップリンクチャネル応答とがほぼ同一であるという意味である。したがって、ＴＤＤに基づいた無線通信システムにおけるダウンリンクチャネル応答は、アップリンクチャネル応答から得られることができるという長所がある。ＴＤＤ方式は、全体周波数帯域をアップリンク送信とダウンリンク送信とが分割されるので、基地局によるダウンリンク送信と端末によるアップリンク送信とが同時に行われることができない。アップリンク送信とダウンリンク送信とがサブフレーム単位で区分されるＴＤＤシステムにおいて、アップリンク送信とダウンリンク送信とは、互いに異なるサブフレームにおいて行われる。
【００２３】
図３は、一つのダウンリンクスロットに対する資源グリッド（ｒｅｓｏｕｒｃｅ  ｇｒｉｄ）の一例を示す。
【００２４】
ダウンリンクスロットは、時間領域において複数のＯＦＤＭシンボルを含み、周波数領域においてＮＲＢ個の資源ブロックを含む。ダウンリンクスロットに含まれる資源ブロックの数ＮＲＢは、セルで設定されるダウンリンク送信帯域幅（ｂａｎｄｗｉｄｔｈ）に従属する。例えば、ＬＴＥシステムにおいてＮＲＢは、６ないし１１０のうちの何れか一つでありうる。一つの資源ブロックは、周波数領域で複数の副搬送波を含む。アップリンクスロットの構造も、前記ダウンリンクスロットの構造と同一でありうる。
【００２５】
資源グリッド上の各要素（ｅｌｅｍｅｎｔ）を資源要素（ｒｅｓｏｕｒｃｅ  ｅｌｅｍｅｎｔ）という。資源グリッド上の資源要素は、スロット内のインデックス対（ｋ，ｌ）により識別されることができる。ここで、ｋ（ｋ＝０，．．．，ＮＲＢ×１２−１）は、周波数領域内の副搬送波インデックスで、ｌ（ｌ＝０，．．．，６）は、時間領域内のＯＦＤＭシンボルインデックスである。
【００２６】
ここで、一つの資源ブロックは、時間領域において７ＯＦＤＭシンボル、周波数領域において１２副搬送波から構成される７×１２資源要素を含むことを例示的に述べるが、資源ブロック内のＯＦＤＭシンボルの数と副搬送波の数は、これに制限されるものではない。ＯＦＤＭシンボルの数と副搬送波の数は、ＣＰ長、周波数間隔（ｆｒｅｑｕｅｎｃｙ  ｓｐａｃｉｎｇ）などによって多様に変更されることができる。例えば、ノーマルＣＰの場合、ＯＦＤＭシンボルの数は７で、拡張されたＣＰの場合、ＯＦＤＭシンボルの数は６である。一つのＯＦＤＭシンボルで副搬送波の数は、１２８、２５６、５１２、１０２４、１５３６及び２０４８のうちの何れか一つを選定して使用することができる。
【００２７】
図４は、ダウンリンクサブフレームの構造を示す。
【００２８】
ダウンリンクサブフレームは、時間領域において２個のスロットを含み、各スロットは、ノーマルＣＰにおいて７個のＯＦＤＭシンボルを含む。サブフレーム内の第１番目のスロットの先んじた最大３ＯＦＤＭシンボル（１．４Ｍｈｚ帯域幅に対しては、最大４ＯＦＤＭシンボル）が制御チャネルが割り当てられる制御領域（ｃｏｎｔｒｏｌ  ｒｅｇｉｏｎ）で、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域になる。
【００２９】
ＰＤＣＣＨは、ＤＬ−ＳＣＨ（ｄｏｗｎｌｉｎｋ−ｓｈａｒｅｄ  ｃｈａｎｎｅｌ）の資源割り当て及び送信フォーマット、ＵＬ−ＳＣＨ（ｕｐｌｉｎｋ  ｓｈａｒｅｄ  ｃｈａｎｎｅｌ）の資源割り当て情報、ＰＣＨ上のページング情報、ＤＬ−ＳＣＨ上のシステム情報、ＰＤＳＣＨ上に転送されるランダムアクセス応答のような上位階層制御メッセージの資源割り当て、任意のＵＥグループ内の個別ＵＥに対する送信パワー制御命令の集合及びＶｏＩＰ（ｖｏｉｃｅ  ｏｖｅｒ  ｉｎｔｅｒｎｅｔ  ｐｒｏｔｏｃｏｌ）の活性化などを運ぶことができる。複数のＰＤＣＣＨが制御領域内で転送されることができ、端末は、複数のＰＤＣＣＨをモニターリングできる。ＰＤＣＣＨは、一つまたはいくつかの連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）上に転送される。ＣＣＥは、無線チャネルの状態に応じる符号化率をＰＤＣＣＨに提供するために使用される論理的割り当て単位である。ＣＣＥは、複数の資源要素グループ（ｒｅｓｏｕｒｃｅ  ｅｌｅｍｅｎｔ  ｇｒｏｕｐ）に対応される。ＣＣＥの数とＣＣＥにより提供される符号化率の連関関係に応じて、ＰＤＣＣＨのフォーマット及び可能なＰＤＣＣＨのビット数が決定される。
【００３０】
基地局は、端末に転送しようとするＤＣＩに応じてＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣには、ＰＤＣＣＨの所有者（ｏｗｎｅｒ）や用途に応じて固有の識別子（ＲＮＴＩ；ｒａｄｉｏ  ｎｅｔｗｏｒｋ  ｔｅｍｐｏｒａｒｙ  ｉｄｅｎｔｉｆｉｅｒ）がマスキングされる。特定端末のためのＰＤＣＣＨであれば、端末の固有識別子、例えばＣ−ＲＮＴＩ（ｃｅｌｌ−ＲＮＴＩ）がＣＲＣにマスキングされることができる。または、ページングメッセージのためのＰＤＣＣＨであれば、ページング指示識別子、例えばＰ−ＲＮＴＩ（ｐａｇｉｎｇ−ＲＮＴＩ）がＣＲＣにマスキングされることができる。システム情報ブロック（ＳＩＢ；ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００３１】
図５は、アップリンクサブフレームの構造を示す。
【００３２】
アップリンクサブフレームは、周波数領域において制御領域とデータ領域とに分けられることができる。前記制御領域は、アップリンク制御情報が転送されるためのＰＵＣＣＨ（ｐｈｙｓｉｃａｌ  ｕｐｌｉｎｋ  ｃｏｎｔｒｏｌｃｈａｎｎｅｌ）が割り当てられる。前記データ領域は、データが転送されるためのＰＵＳＣＨ（ｐｈｙｓｉｃａｌ  ｕｐｌｉｎｋ  ｓｈａｒｅｄ  ｃｈａｎｎｅｌ）が割り当てられる。上位階層において指示される場合、端末は、ＰＵＳＣＨとＰＵＣＣＨの同時送信を支援できる。
【００３３】
一つの端末に対するＰＵＣＣＨは、サブフレームにおいて資源ブロック対（ＲＢ  ｐａｉｒ）で割り当てられる。資源ブロック対に属する資源ブロックは、第１スロットと第２スロットのそれぞれで互いに異なる副搬送波を占める。ＰＵＣＣＨに割り当てられる資源ブロック対に属する資源ブロックが占める周波数は、スロット境界（ｓｌｏｔ  ｂｏｕｎｄａｒｙ）を基準に変更される。これをＰＵＣＣＨに割り当てられるＲＢ対がスロット境界から周波数がホップ（ｆｒｅｑｕｅｎｃｙ−ｈｏｐｐｅｄ）されたという。端末がアップリンク制御情報を時間に従って互いに異なる副搬送波を介して送信することによって、周波数ダイバーシチ利得を得ることができる。ｍは、サブフレーム内においてＰＵＣＣＨに割り当てられた資源ブロック対の論理的な周波数領域位置を表す位置インデックスである。
【００３４】
ＰＵＣＣＨ上に転送されるアップリンク制御情報には、ＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）、ダウンリンクチャネル状態を表すＣＱＩ（ｃｈａｎｎｅｌ  ｑｕａｌｉｔｙ  ｉｎｄｉｃａｔｏｒ）、アップリンク無線資源割り当て要請であるＳＲ（ｓｃｈｅｄｕｌｉｎｇ  ｒｅｑｕｅｓｔ）などがある。
【００３５】
ＰＵＳＣＨは、送信チャネル（ｔｒａｎｓｐｏｒｔ  ｃｈａｎｎｅｌ）であるＵＬ−ＳＣＨにマッピングされる。ＰＵＳＣＨ上に転送されるアップリンクデータは、ＴＴＩの間に転送されるＵＬ−ＳＣＨのためのデータブロックである送信ブロック（ｔｒａｎｓｐｏｒｔ  ｂｌｏｃｋ）でありうる。前記送信ブロックは、ユーザ情報でありうる。または、アップリンクデータは、多重化された（ｍｕｌｔｉｐｌｅｘｅｄ）データでありうる。多重化されたデータは、ＵＬ−ＳＣＨのための送信ブロックと制御情報とが多重化されたものでありうる。例えば、データに多重化される制御情報には、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などがありうる。または、アップリンクデータは、制御情報だけから構成されることもできる。
【００３６】
無線通信システムの性能を向上させるために、ユーザの周辺に接続できるノード（ｎｏｄｅ）の密度を高くする方向へ技術が進化している。ノードの密度の高い無線通信システムは、ノード間の協力によって性能がさらに向上することができる。
【００３７】
図６は、多重ノードシステムの一例を示す。
【００３８】
図６に示すように、多重ノードシステム２０は、一つの基地局２１と複数のノード２５−１、２５−２、２５−３、２５−４、２５−５とから構成されることができる。複数のノード２５−１、２５−２、２５−３、２５−４、２５−５は、一つの基地局２１によって管理されることができる。すなわち、複数のノード２５−１、２５−２、２５−３、２５−４、２５−５は、一つのセルの一部のように動作する。このとき、各ノード２５−１、２５−２、２５−３、２５−４、２５−５は、別途のノードＩＤ（ｉｄｅｎｔｉｆｉｅｒ）の割り当てを受けることができ、または、別途のノードＩＤ無しでセル内の一部アンテナ集団のように動作できる。こういう場合、図６の多重ノードシステム２０は、一つのセルを形成する分散多重ノードシステム（ＤＭＮＳ；ｄｉｓｔｒｉｂｕｔｅｄ  ｍｕｌｔｉ  ｎｏｄｅ  ｓｙｓｔｅｍ）と見なすことができる。
【００３９】
または、複数のノード２５−１、２５−２、２５−３、２５−４、２５−５は、個別的なセルＩＤで端末のスケジューリング及びハンドオーバ（ＨＯ；ｈａｎｄｏｖｅｒ）を行うことができる。こういう場合、図６の多重ノードシステム２０は、多重セルシステムと見なすことができる。基地局２１は、マクロセル（ｍａｃｒｏｃｅｌｌ）でありえ、各ノードは、マクロセルのセルカバレッジ（ｃｅｌｌ  ｃｏｖｅｒａｇｅ）より小さなセルカバレッジを有するフェムトセル（ｆｅｍｔｏ  ｃｅｌｌ）またはピコセル（ｐｉｃｏ  ｃｅｌｌ）でありうる。このように複数のセルがカバレッジに応じてオーバーレイ（ｏｖｅｒｌａｙ）されて構成される場合、複数階層ネットワーク（ｍｕｌｔｉ−ｔｉｅｒ  ｎｅｔｗｏｒｋ）と言うことができる。
【００４０】
図６において各ノード２５−１、２５−２、２５−３、２５−４、２５−５は、基地局、Ｎｏｄｅ−Ｂ、ｅＮｏｄｅ−Ｂ、ピコセルｅＮｂ（ＰｅＮＢ）、ホームｅＮＢ（ＨｅＮＢ）、無線遠隔装備（ＲＲＨ；ｒａｄｉｏ  ｒｅｍｏｔｅ  ｈｅａｄ）、中継局（ＲＳ；ｒｅｌａｙ  ｓｔａｔｉｏｎまたはｒｅｐｅａｔｅｒ）、分散アンテナ（ｄｉｓｔｒｉｂｕｔｅｄ  ａｎｔｅｎｎａ）のうちの何れか一つがなることができる。一つのノードには、最小一つのアンテナが設置されることができる。また、ノードは、ポイント（ｐｏｉｎｔ）と呼ばれることができる。以下の明細書におけるノードは、ＤＭＮＳから一定間隔以上離れたアンテナグループを意味する。すなわち、以下の明細書における各ノードは、物理的にＲＲＨを意味すると仮定する。しかし、本発明は、これに制限されなく、ノードは、物理的間隔に関係なく任意のアンテナグループと定義されることができる。例えば、複数の交差偏光されたアンテナ（ｃｒｏｓｓ  ｐｏｌａｒｉｚｅｄ  ａｎｔｅｎｎａ）から構成された基地局を水平偏光されたアンテナ（ｈｏｒｉｚｏｎｔａｌ  ｐｏｌａｒｉｚｅｄ  ａｎｔｅｎｎａ）から構成されたノードと垂直偏光されたアンテナ（ｖｅｒｔｉｃａｌ  ｐｏｌａｒｉｚｅｄ  ａｎｔｅｎｎａ）から構成されたノードからなっていると見なして、本発明を適用できる。また、本発明は、各ノードのセルカバレッジがマクロセルに比べて小さなピコセルまたはフェムトセルの場合、すなわち多重セルシステムでも適用されることができる。以下の説明におけるアンテナは、物理的なアンテナだけでなく、アンテナポート、仮想（ｖｉｒｔｕａｌ）アンテナ、アンテナグループなどに代替できる。
【００４１】
参照信号について説明する。
【００４２】
参照信号（ＲＳ；ｒｅｆｅｒｅｎｃｅ  ｓｉｇｎａｌ）は、一般にシーケンスで転送される。参照信号シーケンスは、特別な制限無しで任意のシーケンスが使用されることができる。参照信号シーケンスは、ＰＳＫ（ｐｈａｓｅ  ｓｈｉｆｔ  ｋｅｙｉｎｇ）基盤のコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（ｂｉｎａｒｙ  ｐｈａｓｅ  ｓｈｉｆｔ  ｋｅｙｉｎｇ）、ＱＰＳＫ（ｑｕａｄｒａｔｕｒｅ  ｐｈａｓｅ  ｓｈｉｆｔ  ｋｅｙｉｎｇ）などがある。または、参照信号シーケンスは、ＣＡＺＡＣ（ｃｏｎｓｔａｎｔ  ａｍｐｌｉｔｕｄｅ  ｚｅｒｏ  ａｕｔｏ−ｃｏｒｒｅｌａｔｉｏｎ）シーケンスを使用することができる。ＣＡＺＡＣシーケンスの例には、ＺＣ（Ｚａｄｏｆｆ−Ｃｈｕ）基盤シーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、かさみ（Ｋａｓａｍｉ）シーケンスなどがある。また、参照信号シーケンスは、循環シフトされたシーケンス（ｃｙｃｌｉｃａｌｌｙ  ｓｈｉｆｔｅｄ  ｓｅｑｕｅｎｃｅ）を利用できる。
【００４３】
ダウンリンク参照信号は、セル特定参照信号（ＣＲＳ；ｃｅｌｌ−ｓｐｅｃｉｆｉｃ  ＲＳ）、ＭＢＳＦＮ（ｍｕｌｔｉｍｅｄｉａ  ｂｒｏａｄｃａｓｔ  ａｎｄ  ｍｕｌｔｉｃａｓｔ  ｓｉｎｇｌｅ  ｆｒｅｑｕｅｎｃｙ  ｎｅｔｗｏｒｋ）参照信号、端末特定参照信号（ＵＥ−ｓｐｅｃｉｆｉｃ  ＲＳ）、ポジションニング参照信号（ＰＲＳ；ｐｏｓｉｔｉｏｎｉｎｇ  ＲＳ）及びチャネル状態情報（ＣＳＩ；ｃｈａｎｎｅｌ  ｓｔａｔｅ  ｉｎｆｏｒｍａｔｉｏｎ）参照信号（ＣＳＩ  ＲＳ）に区分されることができる。ＣＲＳは、セル内のすべての端末に転送される参照信号であって、ＣＲＳは、ＣＱＩ（ｃｈａｎｎｅｌ  ｑｕａｌｉｔｙ  ｉｎｄｉｃａｔｏｒ）フィードバックに対するチャネル測定とＰＤＳＣＨに対したチャネル推定とに使用されることができる。ＭＢＳＦＮ参照信号は、ＭＢＳＦＮ送信のために割り当てられたサブフレームにおいて転送されることができる。端末特定参照信号は、セル内の特定端末または特定端末グループが受信する参照信号であって、復調参照信号（ＤＭＲＳ；ｄｅｍｏｄｕｌａｔｉｏｎ  ＲＳ）と呼ばれることができる。ＤＭＲＳは、特定端末または特定端末グループがデータ復調に主に使用される。ＰＲＳは、端末の位置推定に使用されることができる。ＣＳＩ  ＲＳは、ＬＴＥ−Ａ端末のＰＤＳＣＨに対したチャネル推定に使用される。ＣＳＩ  ＲＳは、周波数領域または時間領域において比較的わずか（ｓｐａｒｓｅ）に配置され、一般サブフレームまたはＭＢＳＦＮサブフレームのデータ領域では省略（ｐｕｎｃｔｕｒｅｄ）できる。ＣＳＩの推定を介して必要な場合にＣＱＩ、ＰＭＩ及びＲＩなどが端末から報告されることができる。
【００４４】
ＣＲＳは、ＰＤＳＣＨ送信を支援するセル内のすべてのダウンリンクサブフレームにおいて転送される。ＣＲＳは、アンテナポート０ないし３上に転送されることができ、ＣＲＳは、Δｆ＝１５ｋＨｚに対してのみ定義されることができる。ＣＳＩ  ＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ１０．１．０（２０１１−０３）「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）」の６．１０．１節を参照できる。
【００４５】
図７ないし図９は、ＣＲＳがマッピングされるＲＢの一例を示す。
【００４６】
図７は、基地局が一つのアンテナポートを使用する場合、図８は、基地局が２個のアンテナポートを使用する場合、図９は、基地局が４個のアンテナポートを使用する場合にＣＲＳがＲＢにマッピングされるパターンの一例を示す。また、上記のＣＲＳパターンは、ＬＴＥ−Ａの特徴を支援するために使用されることもできる。例えば、協力的多重地点（ＣｏＭＰ；ｃｏｏｒｄｉｎａｔｅｄ  ｍｕｌｔｉ−ｐｏｉｎｔ）送信受信技法または空間多重化（ｓｐａｔｉａｌ  ｍｕｌｔｉｐｌｅｘｉｎｇ）などの特徴を支援するために使用されることができる。また、ＣＲＳは、チャネル品質測定、ＣＰ検出、時間／周波数同期化などの用途で使用されることができる。
【００４７】
図７ないし９に示すように、基地局が複数のアンテナポートを使用する多重アンテナ送信の場合、アンテナポートごとに一つの資源グリッドがある。「Ｒ０」は、第１アンテナポートに対する参照信号、「Ｒ１」は、第２アンテナポートに対する参照信号、「Ｒ２」は、第３アンテナポートに対する参照信号、「Ｒ３」は、第４アンテナポートに対する参照信号を示す。Ｒ０乃至Ｒ３のサブフレーム内の位置は、互いに重複しない。ｌは、スロット内のＯＦＤＭシンボルの位置であって、ノーマルＣＰにおいてｌは、０から６の間の値を持つ。一つのＯＦＤＭシンボルにおいて各アンテナポートに対する参照信号は、６副搬送波の間隔で位置する。サブフレーム内のＲ０の数とＲ１の数は同一で、Ｒ２の数とＲ３の数は同一である。サブフレーム内のＲ２、Ｒ３の数は、Ｒ０、Ｒ１の数より少ない。一つのアンテナポートの参照信号に使用された資源要素は、他のアンテナの参照信号に使用されない。アンテナポート間干渉を与えないためである。
【００４８】
ＣＲＳは、ストリームの個数に関係なく、常にアンテナポートの個数分だけ転送される。ＣＲＳは、アンテナポートごとに独立的な参照信号を有する。ＣＲＳのサブフレーム内の周波数領域の位置及び時間領域の位置は、端末に関係なく決まる。ＣＲＳにかけられるＣＲＳシーケンスもやはり、端末に関係なく生成される。したがって、セル内のすべての端末は、ＣＲＳを受信することができる。ただし、ＣＲＳのサブフレーム内の位置及びＣＲＳシーケンスは、セルＩＤに応じて決まることができる。ＣＲＳのサブフレーム内の時間領域内の位置は、アンテナポートの番号、資源ブロック内のＯＦＤＭシンボルの個数に応じて決まることができる。ＣＲＳのサブフレーム内の周波数領域の位置は、アンテナの番号、セルＩＤ、ＯＦＤＭシンボルインデックス（ｌ）、無線フレーム内のスロット番号などによって決まることができる。
【００４９】
２次元（ｔｗｏ−ｄｉｍｅｎｓｉｏｎ）のＣＲＳシーケンスは、２次元直交シーケンス（ｏｒｔｈｏｇｏｎａｌ  ｓｅｑｕｅｎｃｅ）と２次元疑似任意シーケンス（ｐｓｅｕｄｏ−ｒａｎｄｏｍｓｅｑｕｅｎｃｅ）のシンボル間の乗算により生成されることができる。３個の互いに異なる２次元直交シーケンスと１７０個の互いに異なる２次元疑似任意シーケンスとが存在できる。各セルＩＤは、一つの直交シーケンスと一つの疑似任意シーケンスとの唯一の組み合わせに対応される。また、周波数ホッピング（ｆｒｅｑｕｅｎｃｙ  ｈｏｐｐｉｎｇ）がＣＲＳに適用されることができる。周波数ホッピングパターンは、一つの無線フレーム（１０ｍｓ）を周期とすることができ、各周波数ホッピングパターンは、一つのセルＩＤグループに対応される。
【００５０】
ＰＤＳＣＨ送信を支援する搬送波（ｃａｒｒｉｅｒ）上の無線フレーム内で少なくとも一つのダウンリンクサブフレームが上位階層（ｈｉｇｈｅｒ  ｌａｙｅｒ）によってＭＢＳＦＮサブフレームから構成されることができる。各ＭＢＳＦＮサブフレームは、非−ＭＢＳＦＮ領域とＭＢＳＦＮ領域とに分けられることができる。非−ＭＢＳＦＮ領域は、ＭＢＳＦＮサブフレーム内で初めて１個または２個のＯＦＤＭシンボルを占めることができる。非−ＭＢＳＦＮ領域での送信は、無線フレーム内の第１サブフレーム（サブフレーム＃０）で使用されるものと同じＣＰを基盤として行われることができる。ＭＢＳＦＮ領域は、非−ＭＢＳＦＮ領域として使用されないＯＦＤＭシンボルで定義されることができる。ＭＢＳＦＮ参照信号は、ＰＭＣＨ（ｐｈｙｓｉｃａｌ  ｍｕｌｔｉｃａｓｔ  ｃｈａｎｎｅｌ）が転送される場合にのみ転送され、アンテナポート４上に転送される。ＭＢＳＦＮ参照信号は、拡張ＣＰにおいてのみ定義されることができる。
【００５１】
ＤＭＲＳは、ＰＤＳＣＨ送信のために支援され、アンテナポートｐ＝５、ｐ＝７，８またはｐ＝７，８，．．．，ｖ＋６上に転送される。このとき、ｖは、ＰＤＳＣＨの送信に使用されるレイヤの個数を示す。ＤＭＲＳは、集合Ｓ内にある何れか一つのアンテナポート上に一つの端末に転送される。このとき、Ｓ＝｛７，８，１１，１３｝またはＳ＝｛９，１０，１２，１４｝である。ＤＭＲＳは、ＰＤＳＣＨの送信が対応するアンテナポートと関連する（ａｓｓｏｃｉａｔｅｄ）場合にのみ、ＰＤＳＣＨの復調のために存在し有効である。ＤＭＲＳは、対応するＰＤＳＣＨがマッピングされるＲＢにおいてのみ転送される。ＤＭＲＳは、アンテナポートに関係なく物理チャネルまたは物理信号のうちの何れか一つが転送される資源要素では転送されない。ＤＭＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ１０．１．０（２０１１−０３）「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）」の６．１０．３節を参照できる。
【００５２】
図１０は、ＤＭＲＳがマッピングされるＲＢの一例を示す。
【００５３】
図１０は、ノーマルＣＰ構造においてＤＭＲＳのために使用される資源要素を示す。Ｒｐは、アンテナポートｐ上のＤＭＲＳ転送に使用される資源要素を示す。例えば、Ｒ５は、アンテナポート５に対したＤＭＲＳが転送される資源要素を指示する。また、図１０に示すように、アンテナポート７及び８に対するＤＭＲＳは、各スロットの第６番目及び第７番目のＯＦＤＭシンボル（ＯＦＤＭシンボルインデックス５、６）の第１番目、第６番目及び第１１番目の副搬送波（副搬送波インデックス０、５、１０）に該当する資源要素を介して転送される。アンテナポート７及び８に対するＤＭＲＳは、長さ２の直交シーケンスによって区分されることができる。アンテナポート９及び１０に対したＤＭＲＳは、各スロットの第６番目及び第７番目のＯＦＤＭシンボル（ＯＦＤＭシンボルインデックス５、６）の第２番目、第７番目及び第１２番目の副搬送波（副搬送波インデックス１、６、１１）に該当する資源要素を介して転送される。アンテナポート９及び１０に対したＤＭＲＳは、長さ２の直交シーケンスによって区分されることができる。また、Ｓ＝｛７，８，１１，１３｝または、Ｓ＝｛９，１０，１２，１４｝であるから、アンテナポート１１及び１３に対するＤＭＲＳは、アンテナポート７及び８に対するＤＭＲＳがマッピングされる資源要素にマッピングされ、アンテナポート１２及び１４に対するＤＭＲＳは、アンテナポート９及び１０に対したＤＭＲＳがマッピングされる資源要素にマッピングされる。
【００５４】
ＣＳＩ  ＲＳは、１個、２個、４個または８個のアンテナポートを介して転送される。このときに使用されるアンテナポートは、それぞれｐ＝１５、ｐ＝１５，１６、ｐ＝１５，．．．，１８及びｐ＝１５，．．．，２２である。ＣＳＩ  ＲＳは、Δｆ＝１５ｋＨｚに対してのみ定義されることができる。ＣＳＩ  ＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ１０．１．０（２０１１−０３）「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）」の６．１０．５節を参照できる。
【００５５】
ＣＳＩ  ＲＳの送信において、異種ネットワーク（ＨｅｔＮｅｔ；ｈｅｔｅｒｏｇｅｎｅｏｕｓ  ｎｅｔｗｏｒｋ）環境を含んでマルチセル環境においてセル間干渉（ＩＣＩ；ｉｎｔｅｒ−ｃｅｌｌ  ｉｎｔｅｒｆｅｒｅｎｃｅ）を減らすために、最大３２個の互いに異なる構成（ｃｏｎｆｉｇｕｒａｔｉｏｎ）が提案されることができる。ＣＳＩ  ＲＳ構成は、セル内のアンテナポートの個数及びＣＰによって互いに異なり、隣接したセルは、最大限異なる構成を有することができる。また、ＣＳＩ  ＲＳ構成は、フレーム構造によってＦＤＤフレームとＴＤＤフレームとの両方に適用する場合とＴＤＤフレームにのみ適用する場合とに分けられることができる。一つのセルにおいて複数のＣＳＩ  ＲＳ構成が使用されることができる。非影電力（ｎｏｎ−ｚｅｒｏ  ｐｏｗｅｒ）ＣＳＩ  ＲＳを仮定する端末に対して０個または１個のＣＳＩ  ＲＳ構成が、零電力（ｚｅｒｏ  ｐｏｗｅｒ）ＣＳＩ  ＲＳを仮定する端末に対して０個またはいくつかのＣＳＩ  ＲＳ構成が使用されることができる。
【００５６】
ＣＳＩ  ＲＳ構成は、上位階層により指示されることができる。上位階層を介して転送されるＣＳＩ−ＲＳ−Ｃｏｎｆｉｇ  ＩＥ（ｉｎｆｏｒｍａｔｉｏｎ  ｅｌｅｍｅｎｔ）がＣＳＩ  ＲＳ構成を指示できる。表１は、ＣＳＩ−ＲＳ−Ｃｏｎｆｉｇ  ＩＥの一例を示す。
【００５７】
【表１】
0005976114.tif 000002
【００５８】
表１を参照すれば、ａｎｔｅｎｎａＰｏｒｔｓＣｏｕｎｔパラメーターは、ＣＳＩ  ＲＳの送信のために使用されるアンテナポートの個数を指示する。ｒｅｓｏｕｒｃｅＣｏｎｆｉｇパラメーターは、ＣＳＩ  ＲＳ構成を指示する。ＳｕｂｆｒａｍｅＣｏｎｆｉｇパラメーター及びｚｅｒｏＴｘＰｏｗｅｒＳｕｂｆｒａｍｅＣｏｎｆｉｇパラメーターは、ＣＳＩ  ＲＳが転送されるサブフレーム構成を指示する。
【００５９】
ｚｅｒｏＴｘＰｏｗｅｒＲｅｓｏｕｒｃｅＣｏｎｆｉｇＬｉｓｔパラメーターは、零電力ＣＳＩ  ＲＳの構成を指示する。ｚｅｒｏＴｘＰｏｗｅｒＲｅｓｏｕｒｃｅＣｏｎｆｉｇＬｉｓｔパラメーターを構成する１６ビットのビットマップにおいて１に設定されたビットに対応するＣＳＩ  ＲＳ構成が零電力ＣＳＩ  ＲＳに設定されることができる。さらに具体的にｚｅｒｏＴｘＰｏｗｅｒＲｅｓｏｕｒｃｅＣｏｎｆｉｇＬｉｓｔパラメーターを構成するビットマップのＭＳＢ（ｍｏｓｔ  ｓｉｇｎｉｆｉｃａｎｔ  ｂｉｔ）が表２及び表３の構成されるＣＳＩ  ＲＳの個数が４個である場合において、第１番目のＣＳＩ  ＲＳ構成インデックスに対応される。ｚｅｒｏＴｘＰｏｗｅｒＲｅｓｏｕｒｃｅＣｏｎｆｉｇＬｉｓｔパラメーターを構成するビットマップのつながるビットは、表２及び表３の構成されるＣＳＩ  ＲＳの個数が４個である場合においてＣＳＩ  ＲＳ構成インデックスが増加する方向に対応される。表２は、ノーマルＣＰでのＣＳＩ  ＲＳの構成を、表３は、拡張ＣＰでのＣＳＩ  ＲＳの構成を表す。
【００６０】
【表２−１】
0005976114.tif 000003
【００６１】
【表２−２】
0005976114.tif 000004
【００６２】
【表３−１】
0005976114.tif 000005
【００６３】
【表３−２】
0005976114.tif 000006
【００６４】
表２を参照すれば、ｚｅｒｏＴｘＰｏｗｅｒＲｅｓｏｕｒｃｅＣｏｎｆｉｇＬｉｓｔパラメーターを構成するビットマップの各ビットがＭＳＢからＣＳＩ  ＲＳ構成インデックス０、１、２、３、４、５、６、７、８、９、２０、２１、２２、２３、２４及び２５に対応される。表３を参照すれば、ｚｅｒｏＴｘＰｏｗｅｒＲｅｓｏｕｒｃｅＣｏｎｆｉｇＬｉｓｔパラメーターを構成するビットマップの各ビットがＭＳＢついてＣＳＩ  ＲＳ構成インデックス０、１、２、３、４、５、６、７、１６、１７、１８、１９、２０及び２１に対応される。端末は、零電力ＣＳＩ  ＲＳに設定されたＣＳＩ  ＲＳ構成インデックスに対応する資源要素を零電力ＣＳＩ  ＲＳのための資源要素と仮定することができる。ただし、上位階層によって非影電力ＣＳＩ  ＲＳのための資源要素として設定される資源要素は、零電力ＣＳＩ  ＲＳのための資源要素から除かれることができる。
【００６５】
端末は、表２及び表３においてｎｓ  ｍｏｄ２の条件を満たすダウンリンクスロットにおいてのみＣＳＩ  ＲＳを送信できる。また、端末は、ＴＤＤフレームの特殊サブフレーム（ｓｐｅｃｉａｌ  ｓｕｂｆｒａｍｅ）、ＣＳＩ  ＲＳの送信が同期化信号（ｓｙｎｃｈｒｏｎｉｚａｔｉｏｎ  ｓｉｇｎａｌ）、ＰＢＣＨ（ｐｈｙｓｉｃａｌ  ｂｒｏａｄｃａｓｔ  ｃｈａｎｎｅｌ）、システム情報ブロックタイプ１（ＳｙｓｔｅｍＩｎｆｏｒｍａｔｉｏｎＢｌｏｃｋＴｙｐｅ１）と衝突するサブフレームまたはページングメッセージが転送されるサブフレームでは、ＣＳＩ  ＲＳを送信しない。また、Ｓ＝｛１５｝、Ｓ＝｛１５，１６｝、Ｓ＝｛１７，１８｝、Ｓ＝｛１９，２０｝またはＳ＝｛２１，２２｝である集合Ｓにおいて、一つのアンテナポートのＣＳＩ  ＲＳが転送される資源要素は、ＰＤＳＣＨや他のアンテナポートのＣＳＩ  ＲＳの送信に使用されない。
【００６６】
表４は、ＣＳＩ  ＲＳが転送されるサブフレーム構成の一例を示す。
【００６７】
【表４】
0005976114.tif 000007
【００６８】
表４を参照すれば、ＣＳＩ  ＲＳサブフレーム構成（ＩＣＳＩ−ＲＳ）によってＣＳＩ  ＲＳが転送されるサブフレームの周期（ＴＣＳＩ−ＲＳ）及びオフセット（ΔＣＳＩ−ＲＳ）が決定されることができる。表４のＣＳＩ  ＲＳサブフレーム構成は、表１のＣＳＩ−ＲＳ−Ｃｏｎｆｉｇ  ＩＥのＳｕｂｆｒａｍｅＣｏｎｆｉｇパラメーターまたはＺｅｒｏＴｘＰｏｗｅｒＳｕｂｆｒａｍｅＣｏｎｆｉｇパラメーターのうちの何れか一つでありうる。ＣＳＩ  ＲＳサブフレーム構成は、非影電力ＣＳＩ  ＲＳ及び零電力ＣＳＩ  ＲＳに対して分離されて（ｓｅｐａｒａｔｅｌｙ）構成されることができる。一方、ＣＳＩ  ＲＳを転送するサブフレームは、式１を満たす必要がある。
【００６９】
【数１】
0005976114.tif 000008
【００７０】
図１１は、ＣＳＩ  ＲＳがマッピングされるＲＢの一例を示す。
【００７１】
図１１は、ノーマルＣＰ構造においてＣＳＩ  ＲＳ構成インデックスが０のとき、ＣＳＩ  ＲＳのために使用される資源要素を示す。Ｒｐは、アンテナポートｐ上のＣＳＩ  ＲＳ転送に使用される資源要素を示す。図１１に示すように、アンテナポート１５及び１６に対するＣＳＩ  ＲＳは、第１スロットの第６番目及び第７番目のＯＦＤＭシンボル（ＯＦＤＭシンボルインデックス５、６）の第３番目の副搬送波（副搬送波インデックス２）に該当する資源要素を介して転送される。アンテナポート１７及び１８に対するＣＳＩ  ＲＳは、第１スロットの第６番目及び第７番目のＯＦＤＭシンボル（ＯＦＤＭシンボルインデックス５、６）の第９番目の副搬送波（副搬送波インデックス８）に該当する資源要素を介して転送される。アンテナポート１９及び２０に対するＣＳＩ  ＲＳは、アンテナポート１５及び１６に対するＣＳＩ  ＲＳが転送される同じ資源要素を介して、アンテナポート２１及び２２に対するＣＳＩ  ＲＳは、アンテナポート１７及び１８に対するＣＳＩ  ＲＳが転送される同じ資源要素を介して転送される。
【００７２】
以下、本発明が提案する干渉測定方法を説明する。
【００７３】
現在、零電力ＣＳＩ  ＲＳのための資源要素外の残り資源要素を介してＰＤＳＣＨ送信が構成され、その他の零電力ＣＳＩ  ＲＳを利用した他の端末の動作は定義されていない。しかしながら、端末が干渉を測定するために零電力ＣＳＩ  ＲＳを使用しようとする場合、基地局は、零電力ＣＳＩ  ＲＳのための資源要素間の干渉を測定するように端末に指示できる。端末は、測定された干渉に基づいてＣＳＩを計算できる。
【００７４】
図１２は、提案された干渉測定方法の一実施形態を示す。
【００７５】
ステップＳ１００にて端末は、零電力ＣＳＩ  ＲＳを利用して干渉を測定するかどうかを指示する零電力ＣＳＩ  ＲＳ指示子を基地局から受信する。ステップＳ１１０にて端末は、前記零電力ＣＳＩ  ＲＳ指示子に応じて零電力ＣＳＩ  ＲＳに基づいて干渉を測定する。
【００７６】
零電力ＣＳＩ  ＲＳを利用して、端末が干渉を測定できるように指示する方法に、多様な方法が提案されることができる。
【００７７】
１）零電力ＣＳＩ  ＲＳを構成するＲＲＣシグナルリングを介して端末が零電力ＣＳＩ  ＲＳを利用して干渉を測定するかどうかを指示できる。このために、零電力ＣＳＩ  ＲＳ指示子が新しく定義されることができる。このとき、零電力ＣＳＩ  ＲＳ指示子は、１ビットでありうる。または、零電力ＣＳＩ  ＲＳは、ビットマップ形式により様々なパターンから構成されることができるので、指定されたパターンに対して複数のビットから構成されることができる。
【００７８】
または、ＣＳＩ  ＲＳ構成を指示するＣＳＩ−ＲＳ−Ｃｏｎｆｉｇ  ＩＥに干渉測定の用途として使用される零電力ＣＳＩ  ＲＳに対する情報を追加できる。表５及び表６は、ＣＳＩ−ＲＳ−Ｃｏｎｆｉｇ  ＩＥに干渉測定の用途として使用される零電力ＣＳＩ  ＲＳに対する情報が追加される一例を示す。
【００７９】
【表５】
0005976114.tif 000009
【００８０】
【表６】
0005976114.tif 000010
【００８１】
表５及び表６においてアンダーラインと太く表示した部分とが干渉測定の用途として使用される零電力ＣＳＩ  ＲＳに対する情報であって、表１のＣＳＩ−ＲＳ−Ｃｏｎｆｉｇ  ＩＥに対して新しく追加された部分である。表５を参照すれば、干渉測定の用途として使用される零電力ＣＳＩ  ＲＳに対する構成目録（ｚｅｒｏＴｘＰｏｗｅｒＲｅｓｏｕｒｃｅＣｏｎｆｉｇＬｉｓｔパラメーター）及び該当零電力ＣＳＩ  ＲＳが転送されるサブフレーム構成（ｚｅｒｏＴｘＰｏｗｅｒＳｕｂｆｒａｍｅＣｏｎｆｉｇパラメーター）に対した情報が新しく追加されることができる。表６を参照すれば、干渉測定の用途として使用される零電力ＣＳＩ  ＲＳに対する構成目録（Ｍｅａｓ−ｚｅｒｏＴｘＰｏｗｅｒＲｅｓｏｕｒｃｅＣｏｎｆｉｇＬｉｓｔパラメーター）のみが新しく追加されることができる。表５及び表６において、ＩＣＩ−ｚｅｒｏＴｘＰｏｗｅｒＲｅｓｏｕｒｃｅＣｏｎｆｉｇＬｉｓｔパラメーターは、該当ＣＳＩ  ＲＳ構成インデックスに対応する資源要素がミューティング（ｍｕｔｉｎｇ）されることを指示する。
【００８２】
２）ＰＤＣＣＨまたはＲＲＣシグナルリングを介して転送されるＣＳＩフィードバックを指示する命令を介して、端末が零電力ＣＳＩ  ＲＳを利用して干渉を測定するかどうかを指示できる。現在、ＣＳＩフィードバックを指示する命令に帯域幅の全てを測定するか、または帯域幅の一部を測定するかは決まっているが、どの領域のＣＳＩをどのように測定するかに対しては決まったことがない。しかしながら、今後システムにおいて様々な干渉によってＣＳＩフィードバック値が変わることができる。例えば、ＡＢＳ（ａｌｍｏｓｔ  ｂｌａｎｋ  ｓｕｂｆｒａｍｅ）サブフレームを測定するか、非−ＡＢＳサブフレームを測定するか、または測定集合（ｍｅａｓｕｒｅｍｅｎｔ  ｓｅｔ）内の干渉を考慮しているかどうかによって、ＣＳＩフィードバック値が変わることができる。これにより、ＣＳＩフィードバック領域及び測定方法を指示する指示子が追加されることができ、端末は、指示子に応じてＣＳＩフィードバックを行うことができる。前記指示子に応じて指示されるＣＳＩフィードバック測定方法のうちの何れか一つが零電力ＣＳＩ  ＲＳを利用して端末が干渉を測定することでありうる。したがって、端末は、前記指示子が零電力ＣＳＩ  ＲＳを利用した干渉測定を指示する場合、零電力ＣＳＩ  ＲＳのための資源要素を介して干渉を測定できる。または、１ビットの零電力ＣＳＩ  ＲＳ指示子がＰＤＣＣＨまたはＲＲＣシグナルリングなどのダウンリンク制御チャネルに新しく追加されることもできる。
【００８３】
３）１）と２）の方法を共に使用することができる。すなわち、ＣＳＩ  ＲＳ構成を指示するＣＳＩ−ＲＳ−Ｃｏｎｆｉｇ  ＩＥに干渉測定の用途として使用される零電力ＣＳＩ  ＲＳに対する情報を新しく定義し、ＣＳＩフィードバック命令を介してこの値を使用するかどうかを指示できる。
【００８４】
図１３は、本発明の実施形態が具現化される無線通信システムのブロック図である。
【００８５】
基地局８００は、プロセッサ８１０、メモリ８２０及びＲＦ部８３０を備える。プロセッサ８１０は、提案された機能、過程及び／または方法を具現する。無線インターフェスプロトコルの階層は、プロセッサ８１０により具現化されることができる。メモリ８２０は、プロセッサ８１０と接続されて、プロセッサ８１０を駆動するための多様な情報を格納する。ＲＦ部８３０は、プロセッサ８１０と接続されて、無線信号を送信及び／または受信する。
【００８６】
端末９００は、プロセッサ９１０、メモリ９２０及びＲＦ部９３０を備える。プロセッサ９１０は、提案された機能、過程及び／または方法を具現化する。無線インターフェスプロトコルの階層は、プロセッサ９１０により具現化されることができる。メモリ９２０は、プロセッサ９１０と接続されて、プロセッサ９１０を駆動するための多様な情報を格納する。ＲＦ部９３０は、プロセッサ９１０と接続されて、無線信号を送信及び／または受信する。
【００８７】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を備えることができる。メモリ８２０、９２０は、ＲＯＭ（ｒｅａｄ−ｏｎｌｙ  ｍｅｍｏｒｙ）、ランダムアクセスメモリ（ｒａｎｄｏｍ  ａｃｃｅｓｓ  ｍｅｍｏｒｙ）、フラッシュメモリ、メモリカード、格納媒体及び／または他の格納装置を備えることができる。ＲＦ部８３０、９３０は、無線信号を処理するためのベースバンド回路を備えることができる。実施形態がソフトウェアにより具現化される時、上述した技法は、上述した機能を行うモジュール（過程、機能など）により具現化されることができる。モジュールは、メモリ８２０、９２０に格納され、プロセッサ８１０、９１０により実行されることができる。メモリ８２０、９２０は、プロセッサ８１０、９１０の内部または外部にあることができ、よく知られた多様な手段でプロセッサ８１０、９１０と接続されることができる。
【００８８】
上述した例示的なシステムにおける方法らは、フローチャートに基づいて一連のステップまたはブロックにより説明されているが、本発明は、ステップの順序に限定されるものではなく、あるステップは、上述したものと異なるステップと異なる順序で、または同時に発生できる。また、当業者であれば、フローチャートに示したステップが排他的でなく、他のステップが含まれるか、フローチャートの一つまたはそれ以上のステップが本発明の範囲に影響を及ぼさずに削除されうることを理解できるはずである。
【図１】
0005976114.tif 000011
【図２】
0005976114.tif 000012
【図３】
0005976114.tif 000013
【図４】
0005976114.tif 000014
【図５】
0005976114.tif 000015
【図６】
0005976114.tif 000016
【図７】
0005976114.tif 000017
【図８】
0005976114.tif 000018
【図９】
0005976114.tif 000019
【図１０】
0005976114.tif 000020
【図１１】
0005976114.tif 000021
【図１２】
0005976114.tif 000022
【図１３】
0005976114.tif 000023